(57)【要約】【課題】本発明は、従来の内照式標識と互換性を備えると共に、停電から２０分以上避難誘導の機能を失わない蓄光式避難誘導標識を提供することを目的とする。【解決手段】蓄光シートと、前記蓄光シートの一方の側面側に設けた光源部と、前記蓄光シートの他方の側面側に設けた標識部とを有し、前記光源部からの光が、前記蓄光シートを通過して前記標識部を照らすことにより、標識が認識出来ると共に、前記光源部からの光が消えた後は、前記蓄光シートから発する光により前記標識部の標識を認識出来る様にしたことを特徴とする。【選択図】  図２
2010026763.tif 000002
【特許請求の範囲】
【請求項１】
蓄光シート（１）と、前記蓄光シート（１）の一方の側面側に設けた光源部（２）と、前記蓄光シート（１）の他方の側面側に設けた標識部（３）とを有し、前記光源部（２）からの光が、前記蓄光シート（１）を通過して前記標識部（３）を照らすことにより、標識が認識出来ると共に、前記光源部（２）からの光が消えた後は、前記蓄光シート（１）から発する光により前記標識部（３）の標識を認識出来る様にしたことを特徴とする蓄光式避難誘導標識。
【請求項２】
前記蓄光シート（１）が、透明ポリウレタン材に蓄光顔料（１３）を練り込んだものであることを特徴とする請求項１記載の蓄光式避難誘導標識。
【請求項３】
前記蓄光顔料（１３）の練り込み量が、１００〜２，０００ｇ／ｍ２であることを特徴とする請求項２記載の蓄光式避難誘導標識。
【請求項４】
前記蓄光顔料（１３）の粒径が、１００μｍ以上であることを特徴とする請求項２または３記載の蓄光式避難誘導標識。
【請求項５】
前記蓄光シート（１）が、蓄光顔料（１３）を含まない透明層（１１）と、蓄光顔料（１３）を含む蓄光含有層（１２）とが積層された構成であることを特徴とする請求項２〜４のいずれか一項に記載の蓄光式避難誘導標識。
【請求項６】
前記蓄光含有層（１２）内の蓄光顔料（１３）が、前記透明層（１１）側に偏って存在することを特徴とする請求項５記載の蓄光式避難誘導標識。
【請求項７】
前記標識部（３）が、ＰＥＴフィルム印刷されたものであることを特徴とする請求項１〜６のいずれか一項に記載の蓄光式避難誘導標識。
【請求項８】
前記標識部（３）が、前記蓄光シート（１）の他方の側面に直接印刷したものであることを特徴とする請求項１〜６のいずれか一項に記載の蓄光式避難誘導標識。
【請求項９】
前記蓄光シート（１）にガラスビーズ（１４）が添加されていることを特徴とする請求項２〜６のいずれか一項に記載の蓄光式避難誘導標識。
【発明の詳細な説明】
【技術分野】
【０００１】
本発明は、屋内用の案内標識板、地下鉄や地下駐車場の安全標識板や安全誘導表示板等の蓄光式避難誘導標識に関するものである。
【背景技術】
【０００２】
従来、災害などの停電時に、建物内から屋外に安全に避難するための避難誘導標識としては、内照式避難誘導標識（内照式標識）と蓄光式避難誘導標識（蓄光式標識）がある。
このうち、内照式標識は現行の建物の非常口の表示として数多く使用されている。
具体的には、図４及び図５に示す構造を備えており、正面の表示板３００は、半透明のアクリル板やポリカーボネート板を使用しており、避難誘導情報の文字や図形が施されている。
【０００３】
この表示板３００を取付けた器具４００内には、光源部２００として蛍光灯が配置されている。
そして、災害やトラブル等で電気が停電した場合に、器具４００内に内蔵したバッテリー（図示せず）に蓄えた電力で光源部２００の灯りを燈す構造と成っている。
しかし、このバッテリーの蓄電量では、２０分程度灯りを燈すのが限界であった。
このため、大型の建築物や地下鉄など、避難に２０分以上かかる場所での使用には適していなかった。
【０００４】
また、この内照式標識の欠点を補うため、蓄光式標識が提案された。
この種通常の蓄光式避難誘導標識は、ＪＩＳ  Ｚ９１０７（安全標識板）の蓄光式標識板に記載されているように透明保護層、デザイン表示、蓄光層、白色反射層の構造となっている。
【０００５】
この種蓄光式標識は、図６及び図７に示す構造を有している。
すなわち、蓄光式標識は、蓄光顔料入り蓄光層１００の裏面側を接着剤（アクリル系接着剤）で白色アクリル板を接着した白色反射層５００と、表面側に意匠６００を印刷した透明保護層７００を接着した構成を備えている。
しかし、この種蓄光式標識は、図４及び図５に示した内照式標識の表示板３００と取り替えて使用することが出来なかった。
このため、従来の内照式標識を全て取り払い、全く新たに蓄光式標識を設けなければならず、コストが嵩むという問題を惹起した。
【特許文献１】実用新案登録第３０３４０７５号公報
【特許文献２】実用新案登録第３００８８９９号公報
【特許文献３】特開２００７−２１８１９号公報
【特許文献４】特開２００６−２９３１６８号公報
【発明の開示】
【発明が解決しようとする課題】
【０００６】
本発明は上記したような事情に鑑みてなされたものであり、従来の内照式標識と互換性を備えると共に、停電から２０分以上避難誘導の機能を失わない蓄光式避難誘導標識を提供することを目的とする。
【課題を解決するための手段】
【０００７】
上記目的を達成するために本発明に係る蓄光式避難誘導標識にあっては、蓄光シートと、前記蓄光シートの一方の側面側に設けた光源部と、前記蓄光シートの他方の側面側に設けた標識部とを有し、前記光源部からの光が、前記蓄光シートを通過して前記標識部を照らすことにより、標識が認識出来ると共に、前記光源部からの光が消えた後は、前記蓄光シートから発する光により前記標識部の標識を認識出来る様にしたことを特徴とする。
【発明の効果】
【０００８】
本発明は、以下に記載される効果を奏する。
請求項１記載の発明の蓄光式避難誘導標識によれば、従来の内照式標識と互換性を備えると共に、停電から２０分以上避難誘導の機能を失うことが無い。
【０００９】
請求項２記載の発明の蓄光式避難誘導標識によれば、遠心成形が可能である。
請求項３記載の発明の蓄光式避難誘導標識によれば、蓄光シートの半透明性を確保できるため、従来の内照式標識の表示板と置換することが可能である。
【００１０】
請求項４記載の発明の蓄光式避難誘導標識によれば、光源部からの光の透過をより良く確保できる。
請求項５記載の発明の蓄光式避難誘導標識によれば、蓄光シート表面の光沢性を維持できるため、蓄光シート表面に標識を直接印刷出来る為、製造コストを低く抑えることが可能であると共に、蓄光剤が大気の水分と直接接触しないため、蓄光剤の劣化を防止し、製品寿命を延ばすことが出来る。
【００１１】
請求項６記載の発明の蓄光式避難誘導標識によれば、遠心分離成形の二段成形により容易に得ることが出来る。
請求項７記載の発明の蓄光式避難誘導標識によれば、耐久性が良好である。
【００１２】
請求項８記載の発明の蓄光式避難誘導標識によれば、製造コストを低く抑えることが出来る。
請求項９記載の発明の蓄光式避難誘導標識によれば、光源からの光の透過性を良くすることが出来る。
【発明を実施するための最良の形態】
【００１３】
以下、本発明を実施するための最良の形態について説明する。
図１、図２及び図３に基づき発明を実施するための最良の形態について説明する。
図１は、本発明の実施例に係る蓄光式避難誘導標識を示す正面図である。
図２は、図１のＡ−Ａ断面図本である。
図３は、本発明に係る他の実施例を図２と同様に示した断面図である。
【００１４】
本発明に係る実施例を図１及び図２に基づき説明する。
本発明に係る蓄光式避難誘導標識は、蓄光シート１と、この蓄光シート１の一方の側面側に設けた光源部２と、蓄光シート１の他方の側面側に設けた標識部３とを備えている。
そして、器具４内に配置された光源部２である蛍光灯の光が、蓄光シート１を通過して標識部３を照らすことにより、標識が認識出来ると共に、光源部２からの光が消えた後は、蓄光シート１から発する光により標識部３の標識を認識出来る構成となっている。
【００１５】
また、蓄光シート１は、透明ポリウレタン材に蓄光顔料を練り込んだものである。
そして、本実施例のウレタン材は、注型ウレタン材であり、プレポリマーと言われる反応基（−ＮＣＯ）を持つ主材と硬化剤（アミン系）とが反応してポリウレタンになるものである。
この蓄光顔料の、透明ポリウレタン材への練り込み量は、１００〜２，０００ｇ／ｍ２である。
このことにより、蓄光シート１の半透明性が確保される。
【００１６】
更に、使用される蓄光顔料の粒径は、１００μｍ以上であることが好ましい。
このことにより、蛍光灯の光を良く透過させ、標識部の認識を確かなものとすることが出来る。
また、蓄光シート１は、まず蓄光顔料を含まない透明層１１を遠心成形し、ついでその上に、蓄光顔料１３を含む蓄光含有層１２を遠心成形により積層して製作する。
この様に製作することにより、蓄光含有層１２内の蓄光顔料１３は、透明層（１１）側に偏って存在する。
【００１７】
このため、蓄光シート１の両表面に、蓄光顔料１３が存在しないため、蓄光シート１の表面は光沢があるため、標識を直接蓄光シート１に印刷することができる。
また、直接印刷し無い場合は、透明保護フィルムであるＰＥＴフィルム（ポリエチレンテレフタレート）に標識を印刷したものを、蓄光シート１の一面に貼り付ける態様でも良い。
【００１８】
ついで、本発明の他の実施例を図３に基づき説明する。
図１及び図２に示した実施例と相違する点は、蓄光シート１にガラスビーズ１４を混ぜている点である。
ガラスビーズ１４を添加したことにより、蓄光シート１における光の透過性が更に良くなり、標識の良好な視覚性が確保される。
【００１９】
そして、使用する樹脂材としては、ウレタン系樹脂、ポリエステル系樹脂、シリコーン樹脂、アクリル樹脂等が適宜選択して用いられるが、熱硬化性透明ポリウレタンが特に好ましい。
また、蓄光顔料の平均粒径は、５０〜２５０μｍのものが好ましく、特に１００μｍ以上の高輝度仕様であることが望ましい。
【産業上の利用可能性】
【００２０】
上述の発明は、屋内用の案内標識板、地下鉄や地下駐車場の安全標識板や安全誘導表示板に用いられることはもとより、工場や大型店舗の誘導標識としても利用可能である。
【図面の簡単な説明】
【００２１】
【図１】本発明の実施例に係る蓄光式避難誘導標識を示す正面図である。
【図２】図１のＡ−Ａ断面図本である。
【図３】本発明に係る他の実施例を図２と同様に示した断面図である。
【図４】従来技術に係る蓄光式避難誘導標識を示す正面図である。
【図５】図４のＢ−Ｂ断面図である。
【図６】他の従来技術に係る蓄光式避難誘導標識を示す正面図である。
【図７】図６のＣ−Ｃ断面図である。
【符号の説明】
【００２２】
１  蓄光シート
２  光源部
３  標識部
４  器具
１１  透明層
１２  蓄光含有層
１３  蓄光顔料
１４  ガラスビーズ
【図１】
2010026763.tif 000003
【図２】
2010026763.tif 000004
【図３】
2010026763.tif 000005
【図４】
2010026763.tif 000006
【図５】
2010026763.tif 000007
【図６】
2010026763.tif 000008
【図７】
2010026763.tif 000009